(57)【要約】【課題】発生したナノミストと負イオンの減少を少なくすることができるミスト発生装置を提供するものである。【解決手段】貯水室８内の貯水を汲み上げて飛散させる回転体１７の上部に位置し、回転体１７と共に回転して飛散された貯水が衝突する多孔部２１を有する多孔体２０と、多孔体２０を内包し多孔体で破砕された水が内壁に衝突する送風筒６とを有し、前記多孔部２１と送風筒６とを帯電系列で正に帯電しやすい物質により構成したので、貯水が多孔部２１にぶつかって破砕された時及び、多孔部２１にぶつかって破砕された水が更に多孔体２０を内包する送風筒６の内壁に衝突して微細化された時に発生したナノミストと負イオンが、多孔部２１及び送風筒６の帯電により電子を奪われることが少なくなり、発生したナノミストと負イオンが減少するのを防止できるものである。【選択図】  図１
2014009924.tif 000002
【特許請求の範囲】
【請求項１】
水を貯留する貯水室と、前記貯水室内の貯水に下端を水没させ回転により貯水を汲み上げて飛散させる筒状の回転体と、該回転体を回転駆動させる駆動手段と、前記回転体の上部に位置し回転体と共に回転して飛散された貯水が衝突する多孔部を有する多孔体と、該多孔体を内包し多孔体で破砕された水が内壁に衝突する送風筒と、前記多孔体及び送風筒で水が破砕及び微細化された時に発生したナノミストと負イオンを吹出口まで案内する流通路と、前記発生したナノミストと負イオンを吹き出す吹出口と、前記発生したナノミストと負イオンを吹出口から室内に供給する送風機と、運転スイッチ等を備えた操作部と、前記駆動手段および送風機を制御し、前記ナノミストおよび負イオンを室内に供給するミスト運転を行う制御手段とを備えたミスト発生装置において、前記多孔部と送風筒とを帯電系列で正に帯電しやすい物質により構成したことを特徴とするミスト発生装置。
【請求項２】
水を貯留する貯水室と、前記貯水室内の貯水に下端を水没させ回転により貯水を汲み上げて飛散させる筒状の回転体と、該回転体を回転駆動させる駆動手段と、前記回転体の上部に位置し回転体と共に回転して飛散された貯水が衝突する多孔部を有する多孔体と、該多孔体を内包し多孔体で破砕された水が内壁に衝突する送風筒と、前記多孔体及び送風筒で水が破砕及び微細化された時に発生したナノミストと負イオンを吹出口まで案内する流通路と、前記発生したナノミストと負イオンを吹き出す吹出口と、前記発生したナノミストと負イオンを吹出口から室内に供給する送風機と、運転スイッチ等を備えた操作部と、前記駆動手段および送風機を制御し、前記ナノミストおよび負イオンを室内に供給するミスト運転を行う制御手段とを備えたミスト発生装置において、前記多孔部と送風筒と流通路と吹出口とを帯電系列で正に帯電しやすい物質により構成したことを特徴とするミスト発生装置。
【請求項３】
前記多孔部と送風筒とをアクリロニトリル−ブタジエン−スチレン共重合体又はアクリロニトリル−ブタジエン−スチレン共重合体よりも帯電系列で正に帯電しやすい物質により構成したことを特徴とする請求項１記載のミスト発生装置。
【請求項４】
前記多孔部と送風筒と流通路と吹出口とをアクリロニトリル−ブタジエン−スチレン共重合体又はアクリロニトリル−ブタジエン−スチレン共重合体よりも帯電系列で正に帯電しやすい合成樹脂により構成したことを特徴とする請求項２記載のミスト発生装置。
【請求項５】
前記多孔部と送風筒とにアクリロニトリル−ブタジエン−スチレン共重合体又はアクリロニトリル−ブタジエン−スチレン共重合体よりも帯電系列で正に帯電しやすい物質を塗布したことを特徴とする請求項１記載のミスト発生装置。
【請求項６】
前記多孔部と送風筒と流通路と吹出口とにアクリロニトリル−ブタジエン−スチレン共重合体又はアクリロニトリル−ブタジエン−スチレン共重合体よりも帯電系列で正に帯電しやすい物質を塗布したことを特徴とする請求項２記載のミスト発生装置。
【請求項７】
前記多孔部をステンレス又はステンレスよりも帯電系列で正に帯電しやすい金属により構成すると共に、前送風筒をアクリロニトリル−ブタジエン−スチレン共重合体又はアクリロニトリル−ブタジエン−スチレン共重合体よりも帯電系列で正に帯電しやすい合成樹脂により構成したことを特徴とする請求項１記載のミスト発生装置。
【請求項８】
前記多孔部をステンレス又はステンレスよりも帯電系列で正に帯電しやすい金属により構成すると共に、前記送風筒と流通路と吹出口とをアクリロニトリル−ブタジエン−スチレン共重合体又はアクリロニトリル−ブタジエン−スチレン共重合体よりも帯電系列で正に帯電しやすい合成樹脂により構成したことを特徴とする請求項２記載のミスト発生装置。
【発明の詳細な説明】
【技術分野】
【０００１】
この発明は、ナノミストと負イオンを発生するミスト発生装置に関するものである。
【背景技術】
【０００２】
本出願人は先に下記の特許文献１にて、温かいナノミストと負イオンを発生するミスト発生装置を提供した。
かかるミスト発生装置を図２を用いて説明すると、１０１はミスト発生装置本体、１０２は貯水室、１０３は貯水室１０２内の水を加熱する加熱ヒータ、１０４は定水位室、１０５は貯水室１０２と定水位室１０４を連通する通水路、１０６は定水位室１０４に水を供給する給水タンクであり、給水タンク１０６からの給水により貯水室１０２および定水位室１０４には常時一定水位の給水が貯水されているものである。
また、１０７は貯水室１０２内の水の温度を検出する温度センサ、１０８は定水位室１０４内に設けられ、貯水室１０２および定水位室１０４内に一定水位以上の貯水があるときに水位有りを検出する水位検出用のフロートセンサである。
【０００３】
１０９は貯水室１０２の貯水に下端を水没させたアクリロニトリル−ブタジエン−スチレン共重合体（以下、ＡＢＳと略す。）からなる筒状の回転体、１１０は回転体１０９の外周に間隔を有して位置し、回転体１０９と共に駆動モータ１１１の駆動で回転しこの回転による遠心力で押し上げられた水を飛散させてぶつけられるステンレスからなる円筒状の多孔体、１１２は多孔体１１０の外周に位置し多孔体１１０から飛散される水がぶつかるポリスチレン（以下、ＰＳと略す。）からなる送風筒、１１３は回転体１０９および多孔体１１０と共に駆動モータ１１１の駆動で回転する送風機で、駆動モータ１１１の駆動により、回転体１０９および多孔体１１０および送風機１１３が回転し、吸引口１１４から吸引された空気がナノミストおよび負イオンを含んで、吹出口１１５からナノミストおよび負イオンを含んだ空気が室内に放出されるものである。
また、１１６は運転スイッチ等を備えた操作部１１７からの入力信号や、温度センサ１０７およびフロートセンサ１０８の検出信号を受けて、加熱ヒータ１０３および駆動モータ１１１の動作を制御する制御手段である。
【０００４】
次に、このミスト発生装置１０１において、温ミスト運転について説明すると、温ミスト運転中は、温度センサ１０７の検出する水温に基づいて、加熱ヒータ１０３をＯＮ／ＯＦＦさせて、貯水室１０２内の一定水位の貯水を設定温度に保持し、駆動モータ１１１の駆動による回転体１０９の回転で、設定温度に加熱された貯水室１０２内の貯水を、回転体１０９の回転により回転体１０９下端から遠心力で押し上げて飛散させ、多孔体１１０および送風筒１１２にぶつけて破砕し微細化することで、温かいナノミストおよび負イオンを発生し、送風機１１３の回転で、温かいナノミストおよび負イオンを含んだ空気を室内に放出するものである。
【０００５】
この時、制御手段１１６は貯水室１０２内に一定水位以上の水位があるか否かをフロートセンサ１０８の検出信号から判断しており、貯水室１０２内に一定水位以上の水位がないと判断した場合は、水切れと判断し、加熱ヒータ１０３をＯＦＦすると共に、駆動モータ１１１を停止させて温ミスト運転を停止するものであった。
【先行技術文献】
【特許文献】
【０００６】
【特許文献１】特願２０１０−２８０３３９号
【発明の概要】
【発明が解決しようとする課題】
【０００７】
ところでこの従来のものでは、貯水室１０２内の貯水を回転体１０９の回転により回転体１０９下端から遠心力で押し上げて飛散させ、多孔体１１０および送風筒１１２にぶつけて破砕し微細化することで発生したナノミストおよび負イオンを含んだ空気を、送風機１１３の回転により送風筒１１２と水流阻止手段１１８との隙間から、ポリプロピレン（以下、ＰＰと略す。）からなる処理室１１９とポリスチレン（ＰＳ）からなる案内筒１２０、送風筒１１２間を上昇してポリスチレン（ＰＳ）からなる吹出口１１５に向かう流路から構成されている流通路１２１を通過して吹出口１１５から室内に放出するが、多孔体１１０および送風筒１１２にぶつけて破砕し微細化することで発生したナノミストおよび負イオンが、吹出口１１５から吹き出すまでに中和されてしまい、その結果吹出口１１５から室内に放出されるナノミストおよび負イオンが減少してしまうという問題があった。
【課題を解決するための手段】
【０００８】
この発明は上記課題を解決する為に、特にその構成を、水を貯留する貯水室と、前記貯水室内の貯水に下端を水没させ回転により貯水を汲み上げて飛散させる筒状の回転体と、該回転体を回転駆動させる駆動手段と、前記回転体の上部に位置し回転体と共に回転して飛散された貯水が衝突する多孔部を有する多孔体と、該多孔体を内包し多孔体で破砕された水が内壁に衝突する送風筒と、前記多孔体及び送風筒で水が破砕及び微細化された時に発生したナノミストと負イオンを吹出口まで案内する流通路と、前記発生したナノミストと負イオンを吹き出す吹出口と、前記発生したナノミストと負イオンを吹出口から室内に供給する送風機と、運転スイッチ等を備えた操作部と、前記駆動手段および送風機を制御し、前記ナノミストおよび負イオンを室内に供給するミスト運転を行う制御手段とを備えたミスト発生装置において、前記多孔部と送風筒とを帯電系列で正に帯電しやすい物質により構成したものである。
【０００９】
また、請求項２では、水を貯留する貯水室と、前記貯水室内の貯水に下端を水没させ回転により貯水を汲み上げて飛散させる筒状の回転体と、該回転体を回転駆動させる駆動手段と、前記回転体の上部に位置し回転体と共に回転して飛散された貯水が衝突する多孔部を有する多孔体と、該多孔体を内包し多孔体で破砕された水が内壁に衝突する送風筒と、前記多孔体及び送風筒で水が破砕及び微細化された時に発生したナノミストと負イオンを吹出口まで案内する流通路と、前記発生したナノミストと負イオンを吹き出す吹出口と、前記発生したナノミストと負イオンを吹出口から室内に供給する送風機と、運転スイッチ等を備えた操作部と、前記駆動手段および送風機を制御し、前記ナノミストおよび負イオンを室内に供給するミスト運転を行う制御手段とを備えたミスト発生装置において、前記多孔部と送風筒と流通路と吹出口とを帯電系列で正に帯電しやすい物質により構成したものである。
【００１０】
また、請求項３では、前記多孔部と送風筒とをアクリロニトリル−ブタジエン−スチレン共重合体又はアクリロニトリル−ブタジエン−スチレン共重合体よりも帯電系列で正に帯電しやすい物質により構成したものである。
【００１１】
また、請求項４では、前記多孔部と送風筒と流通路と吹出口とをアクリロニトリル−ブタジエン−スチレン共重合体又はアクリロニトリル−ブタジエン−スチレン共重合体よりも帯電系列で正に帯電しやすい合成樹脂により構成したものである。
【００１２】
また、請求項５では、前記多孔部と送風筒とにアクリロニトリル−ブタジエン−スチレン共重合体又はアクリロニトリル−ブタジエン−スチレン共重合体よりも帯電系列で正に帯電しやすい物質を塗布したものである。
【００１３】
また、請求項６では、前記多孔部と送風筒と流通路と吹出口とにアクリロニトリル−ブタジエン−スチレン共重合体又はアクリロニトリル−ブタジエン−スチレン共重合体よりも帯電系列で正に帯電しやすい物質を塗布したものである。
【００１４】
また、請求項７では、前記多孔部をステンレス又はステンレスよりも帯電系列で正に帯電しやすい金属により構成すると共に、前送風筒をアクリロニトリル−ブタジエン−スチレン共重合体又はアクリロニトリル−ブタジエン−スチレン共重合体よりも帯電系列で正に帯電しやすい合成樹脂により構成したものである。
【００１５】
また、請求項８では、前記多孔部をステンレス又はステンレスよりも帯電系列で正に帯電しやすい金属により構成すると共に、前記送風筒と流通路と吹出口とをアクリロニトリル−ブタジエン−スチレン共重合体又はアクリロニトリル−ブタジエン−スチレン共重合体よりも帯電系列で正に帯電しやすい合成樹脂により構成したものである。
【発明の効果】
【００１６】
この発明の請求項１によれば、多孔部を帯電系列で正に帯電しやすい物質により構成したので、貯水が回転する多孔体の多孔部にぶつかって破砕された時、つまり第一の破砕部で発生した負イオンが多孔部の帯電により電子を奪われることが少なくなり、第一の破砕部で発生した負イオンが減少するのを防止できるものである。
【００１７】
更に送風筒を帯電系列で正に帯電しやすい物質により構成したので、多孔部に衝突して破砕された水が、更に多孔体を内包する送風筒の内壁に衝突して微細化された時、つまり第二の破砕部で発生した多くの負イオンが送風筒の帯電により電子を奪われることが少なくなり、第二の破砕部で発生した負イオンが減少するのを防止できるものである。
【００１８】
また、請求項２によれば、多孔部を帯電系列で正に帯電しやすい物質により構成したので、貯水が回転する多孔体の多孔部にぶつかって破砕された時、つまり第一の破砕部で発生した負イオンが多孔部の帯電により電子を奪われることが少なくなり、第一の破砕部で発生した負イオンが減少するのを防止できるものである。
【００１９】
更に送風筒を帯電系列で正に帯電しやすい物質により構成したので、多孔部に衝突して破砕された水が、更に多孔体を内包する送風筒の内壁に衝突して微細化された時、つまり第二の破砕部で発生した多くの負イオンが送風筒の帯電により電子を奪われることが少なくなり、第二の破砕部で発生した負イオンが減少するのを防止できるものである。
【００２０】
更に流通路と吹出口とを帯電系列で正に帯電しやすい物質により構成したので、送風機による空気の流れにより摩擦を生じて負に帯電しようとし、それにより水が多孔体や送風筒の内壁に衝突して発生した負イオンから電子を奪う作用が流通路及び吹出口で弱くなり、流通路及び吹出口での負イオンの減少を少なくすることができるものである。
【００２１】
又、送風筒を含む流通路及び吹出口を全て同じ材質の帯電系列で正に帯電しやすい物質で構成したので、送風機による空気の流れにより生じる摩擦により発生する電位が同じで電位差のない等電位結合状態となって、水の破砕や微細化により発生した負イオンの電子が送風筒を含む流通路内及び吹出口に生じる電位差により中和されることがなく、発生した負イオンの減少を更に少なくすることができるものである。
【００２２】
また、請求項３によれば、多孔部と送風筒とをアクリロニトリル−ブタジエン−スチレン共重合体又はアクリロニトリル−ブタジエン−スチレン共重合体よりも帯電系列で正に帯電しやすい物質により構成したので、従来のポリプロピレン（ＰＰ）やポリスチレン（ＰＳ）に比べて、貯水が回転する多孔体の多孔部にぶつかって破砕された時、つまり第一の破砕部で発生した負イオンが多孔部の帯電により電子を奪われることが少なくなり、第一の破砕部で発生した負イオンが減少するのを防止でき、更に多孔部に衝突して破砕された水が、更に多孔体を内包する送風筒の内壁に衝突して微細化された時、つまり第二の破砕部で発生した多くの負イオンが送風筒の帯電により電子を奪われることが少なくなり、第二の破砕部で発生した負イオンが減少するのを防止できるものである。
【００２３】
また、請求項４によれば、前記多孔部と送風筒と流通路と吹出口とをアクリロニトリル−ブタジエン−スチレン共重合体又はアクリロニトリル−ブタジエン−スチレン共重合体よりも帯電系列で正に帯電しやすい合成樹脂により構成したので、従来のポリプロピレン（ＰＰ）やポリスチレン（ＰＳ）に比べて、貯水が回転する多孔体の多孔部にぶつかって破砕された時、つまり第一の破砕部で発生した負イオンが多孔部の帯電により電子を奪われることが少なくなり、第一の破砕部で発生した負イオンが減少するのを防止でき、更に多孔部に衝突して破砕された水が、更に多孔体を内包する送風筒の内壁に衝突して微細化された時、つまり第二の破砕部で発生した多くの負イオンが送風筒の帯電により電子を奪われることが少なくなり、第二の破砕部で発生した負イオンが減少するのを防止でき、更に送風機による空気の流れにより摩擦を生じて負に帯電しようとし、それにより水が多孔体や送風筒の内壁に衝突して発生した負イオンから電子を奪う作用が流通路及び吹出口で弱くなり、流通路及び吹出口での負イオンの減少を少なくすることができるものである。
【００２４】
又、送風筒を含む流通路及び吹出口を全て同じ材質のアクリロニトリル−ブタジエン−スチレン共重合体又はアクリロニトリル−ブタジエン−スチレン共重合体よりも帯電系列で正に帯電しやすい合成樹脂により構成したので、送風機による空気の流れにより生じる摩擦により発生する電位が同じで電位差のない等電位結合状態となって、水の破砕や微細化により発生した負イオンの電子が送風筒を含む流通路内及び吹出口に生じる電位差により中和されることがなく、発生した負イオンの減少を更に少なくすることができるものである。
【００２５】
また、請求項５によれば、前記多孔部と送風筒とにアクリロニトリル−ブタジエン−スチレン共重合体又はアクリロニトリル−ブタジエン−スチレン共重合体よりも帯電系列で正に帯電しやすい物質を塗布したので、従来のポリプロピレン（ＰＰ）やポリスチレン（ＰＳ）で構成された多孔部と送風筒とをそのまま使用でき、その上で、多孔部と送風筒との表面はアクリロニトリル−ブタジエン−スチレン共重合体又はアクリロニトリル−ブタジエン−スチレン共重合体よりも帯電系列で正に帯電しやすい物質で、従来のポリプロピレン（ＰＰ）やポリスチレン（ＰＳ）に比べて、貯水が回転する多孔体の多孔部にぶつかって破砕された時、つまり第一の破砕部で発生した負イオンが多孔部の帯電により電子を奪われることが少なくなり、第一の破砕部で発生した負イオンが減少するのを防止でき、更に多孔部に衝突して破砕された水が、更に多孔体を内包する送風筒の内壁に衝突して微細化された時、つまり第二の破砕部で発生した多くの負イオンが送風筒の帯電により電子を奪われることが少なくなり、第二の破砕部で発生した負イオンが減少するのを防止できるものである。
【００２６】
また、請求項６によれば、前記多孔部と送風筒と流通路と吹出口とにアクリロニトリル−ブタジエン−スチレン共重合体又はアクリロニトリル−ブタジエン−スチレン共重合体よりも帯電系列で正に帯電しやすい物質を塗布したので、従来のポリプロピレン（ＰＰ）やポリスチレン（ＰＳ）で構成された多孔部と送風筒とをそのまま使用でき、その上で、多孔部と送風筒との表面はアクリロニトリル−ブタジエン−スチレン共重合体又はアクリロニトリル−ブタジエン−スチレン共重合体よりも帯電系列で正に帯電しやすい物質で、従来のポリプロピレン（ＰＰ）やポリスチレン（ＰＳ）に比べて、貯水が回転する多孔体の多孔部にぶつかって破砕された時、つまり第一の破砕部で発生した負イオンが多孔部の帯電により電子を奪われることが少なくなり、第一の破砕部で発生した負イオンが減少するのを防止でき、更に多孔部に衝突して破砕された水が、更に多孔体を内包する送風筒の内壁に衝突して微細化された時、つまり第二の破砕部で発生した多くの負イオンが送風筒の帯電により電子を奪われることが少なくなり、第二の破砕部で発生した負イオンが減少するのを防止できるものである。
【００２７】
又、送風筒を含む流通路及び吹出口で、送風機による空気の流れにより生じる摩擦により発生する電位が同じで電位差のない等電位結合状態となって、水の破砕や微細化により発生した負イオンの電子が送風筒を含む流通路内及び吹出口に生じる電位差により中和されることがなく、発生した負イオンの減少を更に少なくすることができるものである。
【００２８】
また、請求項７によれば、前記多孔部をステンレス又はステンレスよりも帯電系列で正に帯電しやすい金属により構成すると共に、前送風筒をアクリロニトリル−ブタジエン−スチレン共重合体又はアクリロニトリル−ブタジエン−スチレン共重合体よりも帯電系列で正に帯電しやすい合成樹脂により構成したので、多孔部の強度や寿命を確保しつつ、貯水が回転する多孔体の多孔部にぶつかって破砕された時、つまり第一の破砕部で発生した負イオンが多孔部の帯電により電子を奪われることが少なくなり、第一の破砕部で発生した負イオンが減少するのを防止でき、更に送風筒の強度や寸法精度、加工性を確保しつつ、多孔部に衝突して破砕された水が、更に多孔体を内包する送風筒の内壁に衝突して微細化された時、つまり第二の破砕部で発生した多くの負イオンが送風筒の帯電により電子を奪われることが少なくなり、第二の破砕部で発生した負イオンが減少するのを防止できるものである。
【００２９】
また、請求項８によれば、前記多孔部をステンレス又はステンレスよりも帯電系列で正に帯電しやすい金属により構成すると共に、前記送風筒と流通路と吹出口とをアクリロニトリル−ブタジエン−スチレン共重合体又はアクリロニトリル−ブタジエン−スチレン共重合体よりも帯電系列で正に帯電しやすい合成樹脂により構成したので、多孔部の強度や寿命を確保しつつ、貯水が回転する多孔体の多孔部にぶつかって破砕された時、つまり第一の破砕部で発生した負イオンが多孔部の帯電により電子を奪われることが少なくなり、第一の破砕部で発生した負イオンが減少するのを防止でき、更に送風筒の強度や寸法精度、加工性を確保しつつ、多孔部に衝突して破砕された水が、更に多孔体を内包する送風筒の内壁に衝突して微細化された時、つまり第二の破砕部で発生した多くの負イオンが送風筒の帯電により電子を奪われることが少なくなり、第二の破砕部で発生した負イオンが減少するのを防止できるものである。
【００３０】
又、送風筒を含む流通路及び吹出口で、送風機による空気の流れにより生じる摩擦により発生する電位が同じで電位差のない等電位結合状態となって、水の破砕や微細化により発生した負イオンの電子が送風筒を含む流通路内及び吹出口に生じる電位差により中和されることがなく、発生した負イオンの減少を更に少なくすることができるものである。
【図面の簡単な説明】
【００３１】
【図１】この発明の一実施形態のミスト発生装置を示す概略構成図。
【図２】従来のミスト発生装置を示す概略構成図。
【発明を実施するための形態】
【００３２】
次に、この発明の一実施形態のミスト発生装置を図１に基づき説明する。
１は室内の空気清浄や加湿、人の顔に直接ナノミストと負イオンを当てて美顔するミスト発生装置本体で、中央部には蓋体２に固定され吸引口３から吸引された室内空気を、中央で回転駆動するシロッコファンからなる送風機４まで案内するアクリロニトリル−ブタジエン−スチレン共重合体（以下、ＡＢＳと略す。）からなる円筒状の案内筒５が備えられ、この案内筒５には、送風機４を覆うように送風機４下方まで垂下したＡＢＳからなる送風筒６が設けられている。
【００３３】
７は前記案内筒５を覆った処理室で、処理室７の下部には円形椀状でアルミダイキャスト製の貯水室８が設けられ、この貯水室８には給水手段としての給水タンク９がセットされた定水位室１０が通水路１１を介して連通しており、給水タンク９は給水を落差方式で供給することで、貯水室８を常時一定水位に保つようにしているものである。
また、１２は定水位室１０内に設けられ、貯水室８および定水位室１０に一定水位以上の貯水があるときに水位有りを検出する水位検出信号を出力する水位検出手段としてのフロートセンサである。
【００３４】
１３は貯水室８下方で貯水室８を支持する駆動手段としての駆動モータで、全周をカバー体１４で覆われ装置本体１の底部を構成する基板１５に固定されており、さらにカバー体１４の外周壁に外方へ突出した樋状の流水溝１６を一周形成している。
【００３５】
１７は貯水室８の貯水に下部を水没させ、この貯水室８を貫通して送風機４を回転させる駆動軸１８に軸支されたＡＢＳからなる筒状の回転体で、この回転体１７は中空逆円錐形で上方に向かって径が徐々に拡大するものであり、回転体１７が回転することによりこの回転の遠心力で貯水室８の貯水を汲み上げ、回転体１７の外壁および内壁を伝わせて押し上げて、回転体１７の外壁を伝わせて押し上げた貯水を周囲に飛散させると共に、回転体１７の内壁を伝わせて押し上げた貯水を回転体１７の上端に形成された複数の飛散口１９から周囲に飛散させるものである。
【００３６】
２０は回転体１７の上部外周に所定間隔を保持して位置し、回転体１７と共に回転するＡＢＳからなる円筒状の多孔体で、多孔体２０にはその全周壁に多数のスリットや金網やパンチングメタル等からなるステンレス製の多孔部２１が形成されており、回転体１７の回転による遠心力で貯水室８内の水を汲み上げると共に空気を飛散させ、そして多孔部２１を通過させたり、ぶつけて破砕させることで第一の破砕部を形成し、それにより水の粒子を微細化してナノメートル（ｎｍ）サイズのミストを生成すると共に、水の粒子の微細化によるレナード効果で負イオンを発生させるものであり、また多孔部２１を通過した水の粒子は、さらに多孔体２０の外周の送風筒６の内壁に衝突させることで第二の破砕部を形成し、それにより水の粒子は微細化されるものであり、前記多孔体２０および前記送風筒６から衝突体が構成されているものである。
【００３７】
２２は貯水室８外周を巻回して備えられ貯水室８内の貯水を加熱する加熱手段としての加熱ヒータで、温ミスト運転の時、送風量が「強」に設定されると貯水室８内の貯水温度を設定温度Ｔ３８℃前後に、送風量が「弱」に設定されると貯水室８内の貯水温度を設定温度Ｔ３４℃前後に加熱保温して吹き出し温度を３０℃程度に保持するものであり、貯水室８の底部から吐出し貯水室８内の貯水の温度を検出するサーミスタからなる温度検出手段としての温度センサ２３の検出温度によって、加熱ヒータ２２がＯＮ／ＯＦＦされて所定温度に保持するもので、加熱ヒータ２２を強制的にＯＦＦにし貯水室８内の貯水を加温しない冷ミスト運転も運転可能としている。
【００３８】
２４は送風筒６や多孔体２０の下端と対向して貯水室８上面を覆ったＡＢＳからなる皿状の水流阻止手段で、中央部には回転体１７の挿通穴２５が形成されており、この挿通穴２５から外周に延びる支持片２６によって水面が区画されることで、回転体１７の回転で回転しようとする水流を阻止し、回転体１７の回転による遠心力の作用で容易に水流が回転体１７内外周を上昇できるようにしたものである。
またこの水流阻止手段２４は、上方の送風筒６や多孔体２０にぶつかり微細化されなかった比較的大粒の水滴を受けることで、この水滴が直接貯水室８水面に落下して発生するバシャ、バシャという落下音をも阻止することができるものであり、そのために外周から中央部の挿通穴２５に向かって緩やかに下り傾斜しており、水滴を確実に自然なかたちで貯水室８に戻すことができるものである。
【００３９】
２７は回転体１７と多孔体２０の回転により発生したナノミストと負イオンとを、送風機４の駆動で処理室７上部の吹出口２８から放出させるＡＢＳからなる流通路で、この流通路２７は送風筒６と水流阻止手段２４との隙間から、処理室７と案内筒５、送風筒６間を上昇してＡＢＳからなる吹出口２８に向かう流路から構成されている。
【００４０】
２９は貯水室８と連通している通水路１１に備えられ常時閉弁側に押圧されている排水弁で、給水タンク９が定水位室１０にセット（収納）されることで、圧縮バネ（図示せず）によって常時押し上げられているロット３０が押し下げられて、ロット３０の下端が係止金具３１をロックして排水弁２９が閉弁状態とされ、給水タンク９がセットされている時は貯水室８内の残水の排水を確実に阻止するものであり、給水タンク９が取り去られることで、ロット３０が圧縮バネによって上方に押し上げられ、係止金具３１のロックが解除されて、排水弁２９は開弁可能状態となるものである。
【００４１】
３２は貯水室８内の残水の排水を受ける上面開放の排水トレーで、ミスト発生装置本体１内に出し入れ自在に備えられ、正面には手掛け部３３が形成されており、その容積は貯水室８の残水を十分に収容できる大きさとしているものである。  また、この排水トレー３２は内方後方に突出壁３４が形成され、排水レバー３５が下げられると係止金具３１が排水弁２９を押圧して開弁させ、その時、排水レバー３５の下端が突出壁３４より下方で且つ外側に位置し、排水中に排水トレー３２が抜き取られるのを突出壁３４と排水レバー３５が係合することで防止するものであり、排水が終了し排水レバー３５を引き上げて元に戻せば、係止金具３１の押圧が解除されて排水弁２９は閉弁され、排水トレー３２は容易に引き抜かれて、中に溜められた排水を台所等へ廃棄できるものである。
【００４２】
３６は駆動軸１８が貫通した貯水室８とカバー体１４との間の駆動軸１８途中に備えられた傘状の遮蔽板で、貯水室８から漏れた水が駆動軸１８部分を伝わって駆動モータ１３内に浸入するのを防止するものである。
【００４３】
３７は給水タンク９の給水口キャップで、内装した弁機構（図示せず）を固定された支持部（図示せず）で押し上げられることで給水タンク９から定水位室１０に給水されるものである。
また、３８は給水タンク９を出し入れする時に開閉するタンク蓋、３９は蓋体２を着脱するための持ち手、４０は吹出口２８に備えられナノミストと負イオンの吹き出し方向の変更を行う風向板である。
【００４４】
４１は運転スイッチ（図示せず）や温ミスト運転及び冷ミスト運転及び除菌運転のいずれかを設定する運転切り替えスイッチ（図示せず）や送風量を設定する送風スイッチ（図示せず）等を備えた操作部４２からの入力信号や、温度センサ２３およびフロートセンサ１２の検出信号を受けて、加熱ヒータ２２および駆動モータ１３の動作を制御する制御手段で、この制御手段４１は、加熱ヒータ２２の出力を制御するヒータ制御手段（図示せず）と、駆動モータ１３の出力を制御するモータ制御手段（図示せず）と、後述する温ミスト運転中に、前記ヒータ制御手段（図示せず）によって加熱ヒータ２２の出力がＯＦＦされている時、温度センサ２３の検出する貯水室８内の貯水の検出温度が、貯水室８内の貯水の設定温度Ｔより所定温度高い予め設定された過熱温度を跨いで昇温した回数をカウントするカウント手段（図示せず）と、温ミスト運転中にフロートセンサが水位無しを検出した場合、および、温ミスト運転中にカウント手段（図示せず）のカウントが予め設定された所定回数に達した場合に、加熱ヒータ２２および駆動モータ１３の駆動を停止させ、温ミスト運転を停止させるエラー停止手段（図示せず）と、時間を計時するタイマー手段（図示せず）とを備え、又温ミスト運転中にフロートセンサが水位無しを検出した場合やエラー停止等の異常が発生した時は報知手段（図示せず）により音声やブザーで異常を知らせるものである。
【００４５】
次に、図１に示す一実施形態のミスト発生装置の動作を説明する。
まず、操作部４２の運転スイッチをＯＮすると、制御手段４１はまず吹出口２８の開閉状態を確認し、吹出口２８が開放されているのを確認すると、運転切り替えスイッチにより加熱ヒータ２２がＯＮされて温ミストを発生する温ミスト運転か、加熱ヒータ２２がＯＮされて貯水室８内に貯留された貯水を除菌するのに十分な予め設定された温度、例えば７０℃に加熱する除菌運転か、加熱ヒータ２２がＯＦＦのままで冷ミストを発生する冷ミスト運転のどれが設定されているかを判断し、除菌運転が設定されている場合は、加熱ヒータ２２がＯＮされ、貯水室８内に貯留された貯水を除菌するのに十分な予め設定された温度、例えば７０℃に加熱する除菌運転が実行され、そして、温度センサ２３の検出する貯水室８内の貯水温度が７０℃に達すると、加熱ヒータ２２がＯＦＦされ除菌運転が終了し、運転スイッチを自動的にＯＦＦして除菌運転が終了したことを報知するものである。
【００４６】
又、吹出口２８が開放されているのを確認した後、冷ミスト運転が設定されている場合は、加熱ヒータ２２をＯＦＦの状態のまま駆動モータ１３の駆動を開始させ、ナノミストおよび負イオンを発生させる冷ミスト運転が実行されるものである。
【００４７】
又、吹出口２８が開放されているのを確認した後、温ミスト運転が設定されている場合は、ヒータ制御手段（図示せず）が温度センサ２３の検出する貯水室８内の貯水温度に基づいて、加熱ヒータ２２をＯＮ／ＯＦＦさせて、貯水室８内の一定水位の貯水を設定温度Ｔに保持するよう制御すると共に、モータ制御手段（図示せず）は、駆動モータ１３を設定された回転数になるよう制御し、ナノミストおよび負イオンを発生させ室内に供給する温ミスト運転が実行されるものである。
【００４８】
前記温ミスト運転では、駆動モータ１３の駆動により駆動軸１８に同軸で固定された送風機４および回転体１７が回転駆動され、送風機４の回転では、吸引口３から吸引される室内空気を案内筒５へ案内して吸引した後、処理室７下方に放出する。
【００４９】
一方、回転体１７の回転では、所定温度に加熱された貯水室８内の貯水が、回転体１７下端の回転により汲み上げられ、遠心力で回転体１７の外壁および内壁を伝って押し上げられて上昇し、回転体１７の外壁を伝わせて押し上げた貯水を外方に飛散されると共に、回転体１７の内壁を伝わせて押し上げた貯水を回転体１７の上端に形成された複数の飛散口１９から外方に飛散され、そして周囲に飛散された貯水は、回転体１７の上部外周に所定間隔を保持して位置し回転体１７と共に回転する多孔体２０の多孔部２１に衝突して破砕し（第一の破砕部）、更に多孔部２１に衝突して破砕された水は、多孔体２０を内包する送風筒６の内壁に衝突して微細化されるものである。（第二の破砕部）
【００５０】
この時、第一の破砕部では多孔部２１が帯電系列で正に帯電しやすい物質であるステンレスにて形成されているので、貯水が回転する多孔体２０の多孔部２１にぶつかって破砕された時に発生した負イオンは、ステンレスよりなる多孔部２１に電子を奪われることがなく、第一の破砕部で発生した負イオンが減少するのを防止できるものである。
【００５１】
又、第二の破砕部では多孔体２０を内包する送風筒６が、合成樹脂の中で正に帯電しやすい物質であるアクリロニトリル−ブタジエン−スチレン共重合体（ＡＢＳ）にて形成されているので、多孔部２１を通過して破砕された水が多孔体２０の外周の送風筒６の内壁に衝突して微細化される時に発生する負イオンが、アクリロニトリル−ブタジエン−スチレン共重合体（ＡＢＳ）にて形成されている送風筒６に電子を奪われることがなく、第二の破砕部で発生した負イオンが減少するのを防止できるものである。
特に第二の破砕部は、第一の破砕部で破砕された水が更に微細化されて多くの負イオンが発生する場所なので、ここで発生した負イオンが減少するのを防止できることは最終的に吹出口２８から吹き出すナノミストと負イオンの減少を防止することに大変効果のあるものである。
【００５２】
そしてこの時、回転体１７の回転によって円形で抵抗がない貯水室８内の貯水が、回転体１７と同方向に回転する水流を形成しようとするが、水流阻止手段２４の支持片２６が水面に没して抵抗となり、回転する水流の形成が阻止されるので、遠心力が十分に作用して貯水が回転体１７の周壁上を押し上げられて、上記したように良好に破砕されるものである。
【００５３】
そして、この加熱された温水の破砕と微細化によりナノミストを生成すると共に、レナード効果で負イオンを発生させ、発生したナノミストと負イオンを上記した送風機４の処理室７下方へ向かう送風で一旦水流阻止手段２４にぶつけて、大きくて重いミストを水流阻止手段２４に落下させて除去した後、微細なナノミストのみと負イオンを流通路２７を介して上部の吹出口２８から風向板４０で設定された吹き出し方向へ放出して室内に供給し、室内の加湿や空気清浄等を行うものである。
【００５４】
この時、送風筒６を含む流通路２７及び吹出口２８の材質が、アクリロニトリル−ブタジエン−スチレン共重合体（ＡＢＳ）から構成されているので、アクリロニトリル−ブタジエン−スチレン共重合体（ＡＢＳ）に比べて帯電系列で負に帯電しやすい物質であるポリプロピレン（ＰＰ）やポリスチレン（ＰＳ）から構成されていた従来のものに比べて発生した負イオンが減少するのを防止できるものである。
【００５５】
つまり送風筒６を含む流通路２７及び吹出口２８が送風機４による空気の流れにより摩擦を生じて負に帯電しようとし、それにより水が多孔体２０や送風筒６の内壁に衝突して発生した負イオンから電子を奪うため、結果として発生した負イオンが減少していたが、その作用はポリプロピレン（ＰＰ）やポリスチレン（ＰＳ）に比べて帯電系列で正に帯電しやすい物質であるアクリロニトリル−ブタジエン−スチレン共重合体（ＡＢＳ）のほうがはるかに弱く、したがって結果として発生した負イオンの減少が少なくなるものである。
【００５６】
又、送風筒６を含む流通路２７及び吹出口２８を全て同じ材質のアクリロニトリル−ブタジエン−スチレン共重合体（ＡＢＳ）にて構成したことにより、送風機４による空気の流れにより生じる摩擦により発生する電位が同じで電位差のない等電位結合状態となって、水の破砕や微細化により発生した負イオンの電子が送風筒６を含む流通路２７内及び吹出口２８に生じる電位差により中和されることがなく、結果として発生した負イオンの減少が更に少なくなるものである。
【００５７】
また、水流阻止手段２４は、上方の送風筒６や多孔体２０にぶつかり微細化されなかった比較的大粒の水滴の落下を受けることで、この水滴が直接貯水室８の貯水面に落下して発生するバシャ、バシャという落下音をも阻止することができるものであり、しかもこの水流阻止手段２４は、外周から中央部の挿通穴２５に向かって緩やかに下り傾斜しているので、落下した水滴は挿通穴２５から確実に貯水室８に戻されるものであり、戻される時の音も静かで済むものである。
【００５８】
尚、本実施例では送風筒６を含む流通路２７及び吹出口２８を、合成樹脂の中で正に帯電しやすい物質であるアクリロニトリル−ブタジエン−スチレン共重合体（ＡＢＳ）から構成したがこれに限定されず、ポリプロピレン（ＰＰ）やポリスチレン（ＰＳ）で構成された送風筒６を含む流通路２７及び吹出口２８に、アクリロニトリル−ブタジエン−スチレン共重合体又はアクリロニトリル−ブタジエン−スチレン共重合体よりも帯電系列で正に帯電しやすい物質を塗布してもよいものである。
【００５９】
以上のように、第一の破砕部では多孔部２１が帯電系列で正に帯電しやすい物質であるステンレスにて形成されているので、貯水が回転する多孔体２０の多孔部２１にぶつかって破砕された時に発生した負イオンは、ステンレスよりなる多孔部２１に電子を奪われることがなく、第一の破砕部で発生した負イオンが減少するのを防止できるものである。
【００６０】
又、第二の破砕部では多孔体２０を内包する送風筒６が、合成樹脂の中で正に帯電しやすい物質であるアクリロニトリル−ブタジエン−スチレン共重合体（ＡＢＳ）にて形成されているので、多孔部２１を通過して破砕された水が多孔体２０の外周の送風筒６の内壁に衝突して微細化される時に発生する負イオンが、アクリロニトリル−ブタジエン−スチレン共重合体（ＡＢＳ）にて形成されている送風筒６に電子を奪われることがなく、第二の破砕部で発生した負イオンが減少するのを防止できるものである。
【００６１】
又、送風筒６を含む流通路２７及び吹出口２８の材質が、合成樹脂の中で正に帯電しやすい物質であるアクリロニトリル−ブタジエン−スチレン共重合体（ＡＢＳ）から構成されているので、送風筒６を含む流通路２７及び吹出口２８が送風機４による空気の流れにより摩擦を生じて負に帯電しようとし、それにより水が多孔体２０や送風筒６の内壁に衝突して発生した負イオンから電子を奪う作用がはるかに弱く、したがって結果として発生した負イオンの減少が少なくできるものである。
【００６２】
又、送風筒６を含む流通路２７及び吹出口２８を全て同じ材質のアクリロニトリル−ブタジエン−スチレン共重合体（ＡＢＳ）にて構成したことにより、送風機４による空気の流れにより生じる摩擦により発生する電位が同じで電位差のない等電位結合状態となって、水の破砕や微細化により発生した負イオンの電子が送風筒６を含む流通路２７内及び吹出口２８に生じる電位差により中和されることがなく、結果として発生した負イオンの減少が更に少なくできるものである。
【符号の説明】
【００６３】
４  送風機
６  送風筒
８  貯水室
１３  駆動手段
１７  回転体
２０  多孔体
２１  多孔部
２７  流通路
２８  吹出口
４１  制御手段
４２  操作部
【図１】
2014009924.tif 000003
【図２】
2014009924.tif 000004